(57)【要約】【課題】  開閉戸を閉めてその貫通孔から線香の煙を外部に流出させることのできる機能を保持しつつ、通常は開閉戸の貫通孔が外部と連通しないように開口を遮断できるようにして、ゴミや昆虫などの侵入を阻止できるようにし、収納空間内の汚れの防止を図る。【解決手段】  石製の墓本体の前に設けられ前側に開放する開口４を有し物の収納空間Ｓが形成される石製の収納庫５を備え、この収納庫５に、収納空間Ｓの開口４を開閉し収納空間Ｓと外部とを連通する複数の貫通孔１３を有した開閉戸１０を備えるとともに、開閉戸１０の内側に、開口４を開閉し閉時に開口４を遮断する内戸２０を設けた。【選択図】  図１
2006265873.tif 000002
【特許請求の範囲】
【請求項１】
石製の墓本体と、該墓本体の前に設けられ前側に開放する開口を有し物の収納空間が形成される石製の収納庫とを備え、該収納庫に、上記収納空間の開口を開閉し該収納空間と外部とを連通する複数の貫通孔を有した開閉戸を備えてなる墓において、
上記開閉戸の内側に、上記開口を開閉し閉時に上記開口を遮断する内戸を設けたことを特徴とする墓。
【請求項２】
上記開閉戸及び内戸を引き戸で構成し、上記収納庫に開閉戸及び内戸を開閉移動可能に保持する敷居及び鴨居を形成したことを特徴とする請求項１記載の墓。
【請求項３】
上記敷居及び鴨居を、夫々、上記開閉戸及び内戸が互いに重なり合って共に保持される一条の溝で形成したことを特徴とする請求項２記載の墓。
【請求項４】
上記開閉戸を開閉移動可能に保持する敷居及び鴨居の組と、上記内戸を開閉移動可能に保持する敷居及び鴨居の組とを、夫々別々に設けたことを特徴とする請求項２記載の墓。
【請求項５】
上記開閉戸及び内戸が閉まっている状態で、該開閉戸を開くとき該開閉戸が上記内戸に連係して該内戸を同動させて開くようにするとともに、上記開閉戸及び内戸が開いている状態で、該開閉戸を閉めるとき上記内戸との連係を解除して該開閉戸のみ閉まるようにする連係機構を設けたことを特徴とする請求項１，２，３または４記載の墓。
【請求項６】
上記連係機構を、上記開閉戸の開方向後端部から突設され上記内戸の開方向後端部に当接する突出片を備えて構成したことを特徴とする請求項５記載の墓。
【請求項７】
上記連係機構を、上記内戸の開方向前端部から突設され上記開閉戸の開方向前端部に当接する突出片を備えて構成したことを特徴とする請求項５記載の墓。
【発明の詳細な説明】
【技術分野】
【０００１】
本発明は、石製の墓本体の前に設けられ香炉等の物を入れる収納空間が形成された収納庫を備えた墓に係り、特に、収納庫の開口を開閉し例えば格子による複数の貫通孔を有した開閉戸を備えてなる墓に関する。
【背景技術】
【０００２】
従来、この種の墓としては、例えば、図１２に示すように、石製の墓本体１００と、墓本体１００の前に設けられ前側に開放する開口１０２を有し香炉等の物を入れる物の収納空間Ｓが形成される石製の収納庫１０１とを備えている。収納庫１０１には、収納空間Ｓの開口１０２を開閉する左右対称の一対の引き戸からなる開閉戸１０３が設けられている。開閉戸１０３には、その中央が格子状に形成され収納空間Ｓと外部とを連通する複数の貫通孔１０４が設けられている（例えば、特開平１１−１２５０３０号公報参照）。
【０００３】
この墓においては、通常は、収納庫１０１の収納空間Ｓに、香炉，ローソクや線香等の物を収納し、開閉戸１０３を閉めておく。そして、墓参するときは、例えば、収納庫１０１の上や花立１０５に花や供物等を供えるとともに、収納庫１０１の開閉戸１０３を開け、収納空間Ｓから必要なものを取り出し、更に、収納空間Ｓ内の香炉において線香を焚き、開閉戸１０３を開けたままでも良いが、主には開閉戸１０３を閉めた状態にする。これにより、線香の煙が収納庫の収納空間Ｓから開閉戸１０３の格子の貫通孔１０４を通って外部に流れていき、墓本体１００の周囲に線香の煙が漂う中で供養が行なわれる。
【０００４】
【特許文献１】特開平１１−１２５０３０号公報
【発明の開示】
【発明が解決しようとする課題】
【０００５】
ところで、上述した従来の墓にあっては、開閉戸１０３に格子を設けて、墓参するときに、収納庫１０１の収納空間Ｓ内で線香を焚き、開閉戸１０３を閉めてその貫通孔１０４から線香の煙を外部に流出させて、墓本体１００の周囲に線香の煙を漂わせることができるようにしているが、墓参をしない通常時において、収納庫１０１の開閉戸１０３を閉めた状態にしても、開閉戸１０３の貫通孔１０４を通して収納空間Ｓと外部が連通状態になり、そのため、例えば、ゴミが入り込んだり、蜂などの昆虫が入り込んで内部を汚してしまうという問題があった。特に、蜂の場合には収納空間Ｓ内に巣を作ることがしばしばあり、その場合には、墓参するときに危険を生じさせるという問題があった。
【０００６】
本発明は上記の問題点に鑑みて為されたもので、開閉戸を閉めてその貫通孔から線香の煙を外部に流出させることのできる機能を保持しつつ、通常は開閉戸の貫通孔が外部と連通しないように開口を遮断できるようにして、ゴミや昆虫などの侵入を阻止できるようにし、収納空間内の汚れの防止を図った墓を提供することを目的とする。
【課題を解決するための手段】
【０００７】
このような目的を達成するための本発明の墓は、石製の墓本体と、該墓本体の前に設けられ前側に開放する開口を有し物の収納空間が形成される石製の収納庫とを備え、該収納庫に、上記収納空間の開口を開閉し該収納空間と外部とを連通する複数の貫通孔を有した開閉戸を備えてなる墓において、上記開閉戸の内側に、上記開口を開閉し閉時に上記開口を遮断する内戸を設けた構成としている。
【０００８】
これにより、墓参しない通常時において、収納庫に香炉，ローソクや線香等の物を収納しておくことができる。この際には、開閉戸及び内戸を開け、開口から収納空間に香炉，ローソクや線香等の物を収納し、再び、開閉戸及び内戸を閉める。この開閉戸及び内戸が閉められた状態においては、収納庫の開口は内戸で遮断され、開閉戸の格子の貫通孔が外部と連通しないようになるので、開閉戸に貫通孔があっても、この貫通孔から収納空間に、ゴミや昆虫などが侵入する事態が阻止され、収納空間内の汚れの防止が図られる。特に、蜂の侵入が阻止されるので、蜂が収納空間内に巣を作ることが防止され、そのため、墓参時の安全が図られる。
【０００９】
墓参するときは、例えば、収納庫の開閉戸及び内戸を開け、収納空間内の香炉において線香を焚き、開閉戸を開けたままでも良いが、主には開閉戸を閉めた状態にする。この場合、開閉戸を閉めても、内戸は開いたままになる。そのため、線香の煙が収納庫の収納空間から開閉戸の格子の貫通孔を通って外部に流れていき、墓本体の周囲に線香の煙が漂う中で供養が行なわれる。
次に、墓参が終ったならば、再び、開閉戸を開けて、開口から収納空間に香炉，ローソクや線香等の物を収納し、再び、開閉戸及び内戸を閉める。
【００１０】
そして、必要に応じ、上記開閉戸及び内戸を引き戸で構成し、上記収納庫に開閉戸及び内戸を開閉移動可能に保持する敷居及び鴨居を形成した構成としている。開閉戸及び内戸が敷居及び鴨居にガイドされるので、開閉が円滑に行なわれ、保持も確実になる。
【００１１】
この場合、必要に応じ、上記敷居及び鴨居を、夫々、上記開閉戸及び内戸が互いに重なり合って共に保持される一条の溝で形成した構成としている。敷居及び鴨居は、一条の溝で形成されているので、加工が容易であり、製造コストが低減される。
【００１２】
また、この場合、必要に応じ、上記開閉戸を開閉移動可能に保持する敷居及び鴨居の組と、上記内戸を開閉移動可能に保持する敷居及び鴨居の組とを、夫々別々に設けた構成としている。開閉戸及び内戸が各々別々の敷居及び鴨居の組で保持されるので、開閉が円滑に行なわれ、保持も確実になる。
【００１３】
更に、必要に応じ、上記開閉戸及び内戸が閉まっている状態で、該開閉戸を開くとき該開閉戸が上記内戸に連係して該内戸を同動させて開くようにするとともに、上記開閉戸及び内戸が開いている状態で、該開閉戸を閉めるとき上記内戸との連係を解除して該開閉戸のみ閉まるようにする連係機構を設けた構成としている。
これにより、開閉戸を開ければ、連係機構により、開閉戸が内戸に連係して内戸を同動させて開く。そのため、開閉戸及び内戸を別々に開けなくても同時に開けることができるので操作性が向上させられる。
【００１４】
この場合、上記連係機構を、上記開閉戸の開方向後端部から突設され上記内戸の開方向後端部に当接する突出片を備えて構成したことが有効である。開閉戸を開ければ、連係機構の突出片が内戸の開方向後端部に当接しているので、内戸を押すことになり、この開閉戸が内戸に連係して内戸を同動させて開く。そのため、開閉戸及び内戸を別々に開けなくても同時に開けることができるので操作性が向上させられる。また、連係機構を突出片で構成しているので、加工が容易になり製造コストが低減される。
【００１５】
また、この場合、上記連係機構を、上記内戸の開方向前端部から突設され上記開閉戸の開方向前端部に当接する突出片を備えて構成したことが有効である。この連係機構によれば、開閉戸を開ければ、連係機構の突出片が開閉戸の開方向前端部に当接しているので、開閉戸が内戸を押すことになり、この開閉戸が内戸に連係して内戸を同動させて開く。そのため、開閉戸及び内戸を別々に開けなくても同時に開けることができるので操作性が向上させられる。また、開閉戸及び内戸が開いている状態で、開閉戸を閉めると、内戸との連係が解除され、開閉戸のみ閉まるようになる。更に、開閉戸及び内戸が開いている状態から、両者を閉めるときは、内戸の突出片を押せばよい。これにより、突出片により開閉戸が押されるので、開閉戸及び内戸を別々に閉めなくても同時に閉めることができ、それだけ、操作性が向上させられる。また、連係機構を突出片で構成しているので、加工が容易になり製造コストが低減される。
【発明の効果】
【００１６】
本発明の墓によれば、墓参しない通常時において、開閉戸及び内戸を閉めて、収納庫に香炉，ローソクや線香等の物を収納しておくことができる。この際には、収納庫の開口は内戸で遮断され、開閉戸の格子の貫通孔が外部と連通しないようになるので、開閉戸に貫通孔があっても、この貫通孔から収納空間に、ゴミや昆虫などが侵入する事態を阻止することができ、収納空間内の汚れの防止を図ることができる。特に、蜂の侵入が阻止されるので、蜂が収納空間内に巣を作ることを防止して、墓参時の安全を図ることができる。
【００１７】
また、墓参するときは、例えば、収納庫の開閉戸及び内戸を開け、収納空間内の香炉において線香を焚き、開閉戸を閉めた状態にすれば、開閉戸を閉めても、内戸は開いたままになるので、線香の煙が収納庫の収納空間から開閉戸の格子の貫通孔を通って外部に流れ、墓本体の周囲に線香の煙を漂わせることができ、貫通孔の機能を保持することができるという効果がある。
【発明を実施するための最良の形態】
【００１８】
以下、本発明の実施の形態に係る墓について詳細に説明する。
図１乃至図５には、本発明の第一の実施の形態に係る墓を示している。この墓は、図２に示すように、石製の墓本体１と、墓本体１の下側に設けられ骨を入れる石製あるいはコンクリート製の骨堂２とを備えている。墓本体１の前であって骨堂２の上部を構成する台板３上には、前側に開放する開口４を有した香炉等の物の収納空間Ｓが形成されるとともに供物等の物を載置可能な石製の収納庫５が設けられている。
【００１９】
収納庫５は、骨堂２の上部を構成する台板３に支持された底板６、底板６の左右に立設される矩形ブロック状の支柱７、支柱７に架設される天板８及び背面壁９を備えて構成されている。背面壁９は、墓本体１を構成する石で構成されている。尚、背面壁９は、墓本体１とは別の石板で構成されても良い。これにより、上記の収納空間Ｓは、底板６，支柱７，天板８及び背面壁９で囲繞される空間で構成される。図２中符号３ａは、収納庫５の左右に設置される花立である。尚、花立は、支柱７で構成されても良い。
【００２０】
収納庫５には、収納庫５の収納空間Ｓの開口４を開閉する一対の矩形板状の引き戸からなる石製の開閉戸１０が設けられている。一対の開閉戸１０は互いに左右対称形に形成されており、開方向Ｒ（図４）の互いに対向する開方向後端部１０ａを当接させて開口４を閉じ、左右に互いに離間して移動させられて開口４を開ける。対向する開方向後端部１０ａには、前側から凹設され手が掛けられる手掛１１が形成されている。また、開閉戸１０の中央部には格子状の窓部１２が設けられており、これにより、開閉戸１０には、収納空間Ｓと外部とを連通する複数の矩形の貫通孔１３が形成されている。
【００２１】
また、この開閉戸１０の内側には、収納庫５の収納空間Ｓの開口４を開閉する一対の矩形板状の引き戸からなり、閉時に開口４を遮断する板状の石製の内戸２０が設けられている。一対の内戸２０は互いに左右対称形に形成されており、左右に互いに離間して移動させられて開口４を開ける。
【００２２】
更に、開閉戸１０と内戸２０との連係機構２１が設けられている。連係機構２１は、開閉戸１０及び内戸２０が閉まっている状態で、開閉戸１０を開くときこの開閉戸１０が内戸２０に連係して、内戸２０を同動させて開くようにするとともに、開閉戸１０及び内戸２０が開いている状態で、開閉戸１０を閉めるとき内戸２０との連係を解除して、開閉戸１０のみ閉まるようにするものである。具体的には、連係機構２１は、開閉戸１０の開方向後端部１０ａから突設され、内戸２０の開方向後端部２０ａに当接する突出片２２で構成されている。連係機構２１を突出片２２で構成しているので、加工が容易になり製造コストが低減される。
【００２３】
更にまた、収納庫５には、開閉戸１０及び内戸２０を開閉移動可能に保持する敷居２３及び鴨居２４が形成されている。敷居２３及び鴨居２４は、夫々、開閉戸１０及び内戸２０が互いに重なり合って共に保持される一条の溝で形成されている。即ち、底板６及び天板８の前側は支柱７の前面よりも前側に突出しており、敷居２３の溝は、底板６の前側に突出した部位に形成されているとともに、鴨居２４の溝は天板８の前側に突出した部位に形成されている。この場合、敷居２３及び鴨居２４は、一条の溝で形成されているので、加工が容易であり、製造コストが低減される。
【００２４】
また、図３に示すように、底板６であって収納庫５の収納空間Ｓに臨む部位には、台板３に設けた連通口（図示せず）を介して骨堂２に連通し骨堂２内に骨を入れるための入口３０が設けられている。また、底板６には、入口３０を開閉する一対の矩形板状の引き戸からなる石製の蓋戸３１が設けられている。一対の蓋戸３１は互いに左右対称形に形成されており、底板６に形成した矩形状の凹部３２に嵌めこまれてガイドされ、入口３０を閉じて収納空間Ｓの載置面を構成する閉位置及び、左右に互いに離間して支柱７の下側に移動させられ入口３０を開ける開位置に位置させられる。
【００２５】
従って、この第一の実施の形態に係る墓によれば、墓参しない通常時において、収納庫５に香炉，ローソクや線香等の物を収納しておくことができる。この際には、図４に示すように、開閉戸１０及び内戸２０を開け、開口４から収納空間Ｓに香炉，ローソクや線香等の物を収納し、再び、図１に示すように、開閉戸１０及び内戸２０を閉める。この場合、開閉戸１０及び内戸２０が敷居２３及び鴨居２４にガイドされるので、開閉が円滑に行なわれ、保持も確実になる。
【００２６】
また、この場合、図４に示すように、開閉戸１０を開ければ、連係機構２１の突出片２２が内戸２０の開方向後端部２０ａに当接しているので、内戸２０を押すことになり、この開閉戸１０が内戸２０に連係して内戸２０を同動させて開く。そのため、開閉戸１０及び内戸２０を別々に開けなくても同時に開けることができるので操作性が向上させられる。開閉戸１０及び内戸２０を閉めるときは、開閉戸１０及び内戸２０を夫々閉方向に押す。
【００２７】
墓参しない通常時において、図１に示すように、開閉戸１０及び内戸２０が閉められた状態においては、収納庫５の開口４は内戸２０で遮断され、開閉戸１０の格子の貫通孔１３が外部と連通しないようになるので、開閉戸１０に貫通孔１３があっても、この貫通孔１３から収納空間Ｓに、ゴミや昆虫などが侵入する事態が阻止され、収納空間Ｓ内の汚れの防止が図られる。特に、蜂の侵入が阻止されるので、蜂が収納空間Ｓ内に巣を作ることが防止され、そのため、墓参時の安全が図られる。
【００２８】
そして、墓参するときは、例えば、収納庫５の上や花立に花や供物等を供えるとともに、図４に示すように、収納庫５の開閉戸１０を開け、収納空間Ｓから必要なものを取り出す。この場合にも、開閉戸１０を開ければ、連係機構２１の突出片２２が内戸２０の開方向後端部２０ａに当接しているので、内戸２０を押すことになり、この開閉戸１０が内戸２０に連係して内戸２０を同動させて開く。そのため、開閉戸１０及び内戸２０を別々に開けなくても同時に開けることができるので操作性が向上させられる。
【００２９】
それから、収納空間Ｓ内の香炉において線香を焚き、開閉戸１０を開けたままでも良いが、図２及び図５に示すように、主には開閉戸１０を閉めた状態にする。この場合、開閉戸１０を閉めても、連係機構２１の突出片２２が内戸２０の開方向後端部２０ａに当接しているので、内戸２０との連係が解除され、そのため、開閉戸１０のみ閉まり、内戸２０は開いたままになる。そのため、線香の煙が収納庫５の収納空間Ｓから開閉戸１０の格子の貫通孔１３を通って外部に流れていき、墓本体１の周囲に線香の煙が漂う中で供養が行なわれる。
次に、墓参が終ったならば、再び、図４に示すように、開閉戸１０を開けて、開口４から収納空間Ｓに香炉，ローソクや線香等の物を収納し、図１に示すように、再び、開閉戸１０及び内戸２０を閉める。
【００３０】
また、墓参して、骨堂２に納骨するときは、図３及び図４に示すように、先ず、収納庫５の開閉戸１０を開け、収納空間Ｓから必要なものを取り出す。この場合にも、開閉戸１０を開ければ、連係機構２１の突出片２２が内戸２０の開方向後端部２０ａに当接しているので、内戸２０を押すことになり、この開閉戸１０が内戸２０に連係して内戸２０を同動させて開く。そのため、開閉戸１０及び内戸２０を別々に開けなくても同時に開けることができるので操作性が向上させられる。
そして、図３に示すように、蓋戸３１を、閉位置から開位置にして開け、底板６に形成された入口３０を開く、この状態で、入口３０から骨を骨堂２内に入れ、納骨する。納骨が終わったならば、蓋戸３１を、開位置から閉位置にして閉める。この場合、蓋戸３１の開閉だけで、納骨を行なうことができるので、納骨作業を容易に行なうことができる。
【００３１】
図６には、本発明の第一の実施の形態にかかる墓において、連係機構２１の別例を示している。この連係機構２１は、開閉戸１０及び内戸２０が閉まっている状態で、開閉戸１０を開くときこの開閉戸１０が内戸２０に連係して、内戸２０を同動させて開くようにするとともに、開閉戸１０及び内戸２０が開いている状態で、開閉戸１０を閉めるとき内戸２０との連係を解除して、開閉戸１０のみ閉まるようにするものである。具体的には、連係機構２１は、内戸２０の開方向前端部２０ｂから突設され上記開閉戸１０の開方向前端部１０ｂに当接する突出片２２で構成されている。この連係機構２１によれば、開閉戸１０を開ければ、連係機構２１の突出片２２が開閉戸１０の開方向前端部１０ｂに当接しているので、開閉戸１０が内戸２０を押すことになり、この開閉戸１０が内戸２０に連係して内戸２０を同動させて開く。そのため、開閉戸１０及び内戸２０を別々に開けなくても同時に開けることができるので操作性が向上させられる。また、開閉戸１０及び内戸２０が開いている状態で、開閉戸１０を閉めると、内戸２０との連係が解除され、開閉戸１０のみ閉まるようになる。更に、開閉戸１０及び内戸２０が開いている状態から、両者を閉めるときは、内戸２０の突出片２２を押せばよい。これにより、突出片２２により開閉戸１０が押されるので、開閉戸１０及び内戸２０を別々に閉めなくても同時に閉めることができ、それだけ、操作性が向上させられる。
【００３２】
図７には、本発明の第一の実施の形態にかかる墓において、敷居２３及び鴨居２４の別の例を示している。これは、開閉戸１０を開閉移動可能に保持する敷居２３及び鴨居２４の組と、内戸２０を開閉移動可能に保持する敷居２３及び鴨居２４の組とを、夫々別々に設けたものである。開閉戸１０及び内戸２０が各々別々の敷居２３及び鴨居２４の組で保持されるので、開閉が円滑に行なわれ、保持も確実になる。
【００３３】
図８には、本発明の第二の実施の形態に係る墓を示している。この墓は、上記第一の実施の形態に係る墓と略同様であるが、上記第一の実施の形態に係る墓と異なって、連係機構２１が設けられていない。他の構成は同様であり、同様の作用，効果を奏する。
【００３４】
図９には、本発明の第三の実施の形態に係る墓を示している。この墓は、上記第二の実施の形態に係る墓と略同様であるが、上記第二の実施の形態に係る墓と異なって、内戸２０が収納空間Ｓの内部に設けられ、かつ、支柱７内に出入りできるように設けられている。これにより、開閉戸１０を開閉移動可能に保持する敷居２３及び鴨居２４の組と、内戸２０を開閉移動可能に保持する敷居２３及び鴨居２４の組とは、夫々別々に設けられることになる。作用，効果は上記と同様である。
【００３５】
図１０には、収納庫５の内部の別の例を示している。底板６には、骨堂２に連通し骨堂２内に骨を入れるための入口３０が設けられている。また、底板６には、入口３０を開閉する一対の矩形板状の引き戸からなる石製の蓋戸３１が設けられている。一対の蓋戸３１は互いに左右対称形に形成されており、底板６の前後であって、支柱７間に設けられ断面矩形状で棒状に形成された一対の案内部材３３間に摺動可能にガイドされ、入口３０を閉じて収納空間Ｓの載置面を構成する閉位置及び、左右に互いに離間して支柱７の下側に移動させられ入口３０を開ける開位置に位置させられる。支柱７の下側は、蓋戸３１が移動可能に出入り可能な凹所３４に形成されている。これによっても、上記と同様に納骨が行なわれる。
【００３６】
図１１には、支柱７の別の例を示している。図１１（ａ）に示す支柱７は、断面コ字状に形成されており、収納庫５の収納空間Ｓが広くなるように形成されている。また、図１１（ｂ）に示す支柱７は、断面Ｌ字状に形成されており、これも同様に、収納庫５の収納空間Ｓが広くなるように形成されている。
【００３７】
尚、上記各実施の形態において、開閉戸１０や内戸２０は石製にしたが、必ずしもこれに限定されるものではなく、例えば、ガラス製やプラスチック製にするなどどのような材質にしても良く適宜変更して差支えない。
【図面の簡単な説明】
【００３８】
【図１】本発明の第一の実施の形態に係る墓の収納庫を示す分解斜視図である。
【図２】本発明の第一の実施の形態に係る墓の全体を、収納庫において内戸を開き開閉戸のみを閉じた状態で示す正面図である。
【図３】本発明の第一の実施の形態に係る墓を示し、（ａ）は収納庫の内部構成を示す要部斜視図であり、（ｂ）は底板の構成を示す斜視図である。
【図４】本発明の第一の実施の形態に係る墓の収納庫を、開閉戸及び内戸の両者を開いた状態で示す斜視図である。
【図５】本発明の第一の実施の形態に係る墓の収納庫を、内戸を開き開閉戸のみを閉じた状態で示す斜視図である。
【図６】本発明の第一の実施の形態に係る墓の収納庫において、連係機構の変形例を示す斜視図である。
【図７】本発明の第一の実施の形態に係る墓の収納庫において、敷居及び鴨居の変形例を示す斜視図である。
【図８】本発明の第二の実施の形態に係る墓の収納庫を示す分解斜視図である。
【図９】本発明の第三の実施の形態に係る墓の収納庫を示す分解斜視図である。
【図１０】本発明の実施の形態に係る墓を示し、（ａ）は収納庫の内部の別の例を示す斜視図、（ｂ）はその底板を示す斜視図である。
【図１１】本発明の実施の形態に係る墓を示し、（ａ）は収納庫の支柱の別の例を示す斜視図、（ｂ）は収納庫の支柱のまた別の例を示す斜視図である。
【図１２】従来の墓の一例を示す正面図である。
【符号の説明】
【００３９】
１  墓本体
２  骨堂
３  台板
３ａ  花立
４  開口
５  収納庫
Ｓ  収納空間
６  底板
７  支柱
８  天板
９  背面壁
１０  開閉戸
１０ａ  開方向後端部
１０ｂ  開方向前端部
１１  手掛
１２  窓部
１３  貫通孔
２０  内戸
２０ａ  開方向後端部
２０ｂ  開方向前端部
２１  連係機構
２２  突出片
２３  敷居
２４  鴨居
３０  入口
３１  蓋戸
３２  凹部
３３  案内部材
３４  凹所
【図１】
2006265873.tif 000003
【図２】
2006265873.tif 000004
【図３】
2006265873.tif 000005
【図４】
2006265873.tif 000006
【図５】
2006265873.tif 000007
【図６】
2006265873.tif 000008
【図７】
2006265873.tif 000009
【図８】
2006265873.tif 000010
【図９】
2006265873.tif 000011
【図１０】
2006265873.tif 000012
【図１１】
2006265873.tif 000013
【図１２】
2006265873.tif 000014